(57)【要約】【課題】敷設面に容易に固定できると共に、敷設面から容易に取り外すこともできる椅子、その固定構造、及びその固定方法を提供する。さらには、収納時においても場所をとることなく、椅子を片付けておくことができるようにする。【解決手段】敷設面に固定される椅子は、椅子の幅方向に長さを有する固定部材を有している。固定部材は、敷設面に固定されるレールに備えられた、椅子の幅方向に長さを有する嵌合受け部に、長さ方向にスライドして嵌合する。【選択図】図１
2020146170.tif 000002
【特許請求の範囲】
【請求項１】
敷設面に固定される椅子であって、
前記椅子の幅方向に長さを有する固定部材、を有し、
前記固定部材は、
前記敷設面に固定されるレールに備えられた、前記椅子の幅方向に長さを有する嵌合受け部に、長さ方向にスライドして嵌合する、
椅子。
【請求項２】
前記レールは、長さ方向の端部に設けられた開口端と、長さ方向に沿って開口した開口部と、前記嵌合受け部を構成する中空部と、を備えており、
前記固定部材は、
前記開口端から長さ方向にスライドして前記中空部に嵌合する、
請求項１記載の椅子。
【請求項３】
座の幅方向の両端から夫々、垂下した脚部、をさらに有し、
前記固定部材は、
前記脚部の下方に設けられている、
請求項１又は２記載の椅子。
【請求項４】
前記脚部は、
座の前端から垂下した一対の前脚、を有し、
前記固定部材は、
前記一対の前脚の下方に設けられている、
請求項３記載の椅子。
【請求項５】
前記座の幅方向の両端から夫々、垂下した脚部は、前記座から下方に向かって互いと離間する方向へ末広がりに垂下し、複数の前記椅子をスタッキング可能とした、
１乃至４いずれかの行為に記載の椅子。
【請求項６】
前記固定部材はさらに、複数の前記椅子に取り付けられ、複数の前記椅子を前記椅子の幅方向に連結する、
請求項１乃至５いずれかの項に記載の椅子。
【請求項７】
敷設面に椅子を固定する椅子の固定構造であって、
前記椅子の幅方向に長さを有する固定部材、を備えた椅子と、
前記椅子の幅方向に長さを有する嵌合部、を備えたレールと、によって構成され、
前記レールが、前記敷設面に固定され、
前記固定部材が、前記嵌合部に、長さ方向にスライドして嵌合する、
椅子の固定構造。
【請求項８】
前記椅子の幅方向に長さを有する固定部材、を備えた椅子と、
前記椅子の幅方向に長さを有する嵌合部、を備えたレールと、により、
前記敷設面に前記椅子を固定する椅子の固定方法であって、
前記レールを前記敷設面に固定する工程と、
前記固定部材を、前記嵌合部に、長さ方向にスライドさせて嵌合させる工程と、を有する、
椅子の固定方法。
【発明の詳細な説明】
【技術分野】
【０００１】
本発明は、敷設面に容易に固定できると共に、敷設面から容易に取り外すこともできる椅子、その固定構造、及びその固定方法に関する。
【背景技術】
【０００２】
アリーナやスタジアムなど、数千人〜数万人規模の人員を収容する大型の施設は、スポーツ観戦、コンサート、展示会など多目的に使われ、その使用目的に応じて椅子を設置したり、取り外したりする必要がある。
【０００３】
しかしながら、多人数の人員を収容する施設においては、設置したり、取り外したりする椅子の数量も多く、その作業には多くの作業者と時間を要する。
この点、例えば、特許文献１乃至７では、床面等に着脱可能な椅子が各種、提案されている。
【先行技術文献】
【特許文献】
【０００４】
【特許文献１】特表２０１３−５２２１２２号公報
【特許文献３】特開平１０−２７６８５１号公報
【特許文献４】公開実用昭６２−９２７３９号公報
【特許文献５】公開実用昭６１−１７４４４９号公報
【特許文献６】実全昭５６−０２０５４９号公報
【発明の概要】
【発明が解決しようとする課題】
【０００５】
いずれの特許文献において提案されている椅子ないしは構造によっても、未だその設置や取り外しには手間や時間が多くかかっていた。また、椅子に設置や取り外しの構造や部材をもたせた結果、椅子を収納等しておく際にかかる構造や部材が邪魔になって場所をとるようなことがあると不便である。
【０００６】
そこで、本発明は、敷設面に容易に固定できると共に、敷設面から容易に取り外すこともできる椅子、その固定構造、及びその固定方法を提供することを目的の一つとする。
さらには、収納時においても場所をとることなく片付けておけるようにすることを目的の一つとする。
【課題を解決するための手段】
【０００７】
上記目的を達成するため、本発明の一の観点に係る椅子は、敷設面に固定される椅子であって、前記椅子の幅方向に長さを有する固定部材、を有し、前記固定部材は、前記敷設面に固定されるレールに備えられた、前記椅子の幅方向に長さを有する嵌合受け部に、長さ方向にスライドして嵌合する。
【０００８】
また、前記レールは、長さ方向の端部に設けられた開口端と、長さ方向に沿って開口した開口部と、前記嵌合受け部を構成する中空部と、を備えており、前記固定部材は、前記開口端から長さ方向にスライドして前記中空部に嵌合するものとしてもよい。
【０００９】
また、座の幅方向の両端から夫々、垂下した脚部、をさらに有し、前記固定部材は、前記脚部の下方に設けられているものとしてもよい。
【００１０】
また、前記脚部は、座の前端から垂下した一対の前脚、を有し、前記固定部材は、前記一対の前脚の下方に設けられているものとしてもよい。
【００１１】
また、前記座の幅方向の両端から夫々、垂下した脚部は、前記座から下方に向かって互いと離間する方向へ末広がりに垂下し、複数の前記椅子をスタッキング可能としたものとしてもよい。
【００１２】
また、前記固定部材はさらに、複数の前記椅子に取り付けられ、複数の前記椅子を前記椅子の幅方向に連結するものとしてもよい。
【００１３】
また、本発明の別の観点に係る椅子の固定構造は、敷設面に椅子を固定する椅子の固定構造であって、前記椅子の幅方向に長さを有する固定部材、を備えた椅子と、前記椅子の幅方向に長さを有する嵌合部、を備えたレールと、によって構成され、前記レールが、前記敷設面に固定され、前記固定部材が、前記嵌合部に、長さ方向にスライドして嵌合する。
【００１４】
また、本発明の別の観点に係る椅子の固定方法は、前記椅子の幅方向に長さを有する固定部材、を備えた椅子と、前記椅子の幅方向に長さを有する嵌合部、を備えたレールと、により、前記敷設面に前記椅子を固定する椅子の固定方法であって、前記レールを前記敷設面に固定する工程と、前記固定部材を、前記嵌合部に、長さ方向にスライドさせて嵌合させる工程と、を有する。
【発明の効果】
【００１５】
本発明に係る椅子、椅子の固定構造、及び椅子の固定方法によれば、敷設面に容易に椅子を固定できると共に、敷設面から容易に取り外すこともできる。
さらには、収納時においても場所をとることなく、椅子を片付けておくことができる。
【図面の簡単な説明】
【００１６】
【図１】本発明の実施形態に係る椅子及び椅子の固定構造を示す外観斜視図である。
【図２】本実施形態に係る椅子、椅子の固定構造、及び椅子の固定方法により、椅子の固定部材をレールに嵌合させた状態を示す部分断面図である。
【図３】本実施形態に係る椅子をスタッキングさせた状態を示す外観斜視図である。
【図４】本実施形態に係る椅子を示す外観斜視図である。
【図５】本実施形態に係る椅子を構成する固定部品を示す外観斜視図である。
【発明を実施するための形態】
【００１７】
以下、本発明の実施形態に係る椅子、椅子の固定構造、並びに椅子の固定方法について、図を参照して説明する。
【００１８】
●椅子１
図１に示される本実施形態に係る椅子１は、アリーナや展示場、あるいはスタジアムなど、大勢の人を収容可能な大型の施設において取り外し可能に設置できるものである。なお、ここで「取り外し可能に設置できる」ものとするのは、このような大型の施設では各種のイベントや催しごとが開催され、多目的に利用されることが多いことから、イベント等に応じて椅子の必要性、あるいは必要な数量や配置などが異なり、その時々の状況に応じた椅子を取り外したり、設置したりできるのが便利だからである。
【００１９】
また、このような施設において、椅子が施設内の床面などの敷設面に取り付けられる際には、容易に倒れたり、移動したりしないように敷設面に固定されなければならない。これは、大勢の人を収容した状況において、家事や地震といった緊急事態が発生した際に避難のための通路を確保し、全ての人が安全かつ速やかに施設外へ出られるようにするためである。即ち、仮に椅子が敷設面にしっかりと固定されていなかった場合には、施設外へ避難しようとする人の動きに伴って椅子が倒れたり移動したりする結果、人の移動を妨げたり、人の転倒を招いたりして、安全性を大きく損なうことになる。このようなことは、消防法において、前後に配設される椅子同士の間隔や一定の席数毎に設けられるべき縦通路、さらには椅子同士の連結などが要求されていることからも、必要であることが分かる。
【００２０】
椅子１は図２に示されるように、座１２、背もたれ１３、フレーム１１、及び固定部材１４からなり、特にフレーム１１を金属製のパイプ材で構成し、パイプチェアとも称されるものである。
【００２１】
座１２は、略水平方向に延在した平板状の部材である。
この座１２は、前脚１１１、１１２の上端と後脚１１３、１１４の中間部、及び側フレーム１１７、１１８の間に掛け渡して設けられ、着座者の臀部を受けて、これにより主に鉛直方向の着座荷重を支持する。なお、側フレーム１１８は、図示省略しているが、側フレーム１１７と同様、前後に長さを有した棒状の部材であって、図示左側において、前脚１１１に延設すると共に、その後端において後脚１１３に接合している。
なお、座１２の上面である座面は、四隅から中央に向かって緩やかに窪んでおり、着座者の臀部形状に沿って形成されている。
【００２２】
背もたれ１３は、幅方向に延在した平板状の部材である。
この背もたれ１３は、一対の後脚の上方の間に掛け渡して設けられ、着座者の背を受けて、これにより主に後方への着座荷重を支持する。
【００２３】
また、背もたれ１３には、左右方向に長さを有する略矩形状の貫通孔１３ａが略中央に形成されている。椅子１を持ち運びする者は適宜、この貫通孔１３ａに手を差しれることで、楽に椅子１を持ち運ぶことができる。
【００２４】
なお、座１２と背もたれ１３の材質は特に限定されないが、例えば、合成樹脂あるいは金属、木材によって構成することができ、さらには布や革等によりカバーされていてもよいし、スポンジ材等が貼り付けられていてもよい。
また、座１２と背もたれ１３は、本実施形態では互いに分離したものとしたが、これに限らず、座１２の後端から反り上がるように背もたれ１３が延設され、座１２と背もたれ１３が一体的に構成されたものとしてもよい。
【００２５】
●フレーム１１
フレーム１１は、座１２と背もたれ１３を支持する骨格となる部材であり、金属製のパイプ材を適宜に曲げ加工したり接合したりして作製される。
このフレーム１１は、それぞれ一対で設けられる前脚１１１、１１２、後脚１１３、１１４、ベースフレーム１１５、１１６、及び側フレーム１１７、１１８と、一対の前脚１１１、１１２を連結する連結フレーム１１９及び横架フレーム１１０とから構成される。
【００２６】
鉛直方向に長さを有する前脚１１１、１１２と後脚１１３、１１４は、主に鉛直方向の着座荷重を支持する脚部を構成する。
前脚１１１、１１２は、座１２の前端の左右両端部から下方へ垂下し、それぞれ屈曲してベースフレーム１１５、１１６に延設する。
また、前脚１１１、１１２は夫々、座１２の前端１１１、１１２の左右両端部において屈曲し、側フレーム１１７、１１８に延設している。
【００２７】
後脚１１３、１１４は、背もたれ１３の左右両端及び座１２の後端の左右両端から下方へ垂下し、それぞれ屈曲してベースフレーム１１５、１１６に延設する。
また、後脚１１３、１１４はその略中間部にあたる座１２の後端の左右両端部において、側フレーム１１７、１１８と接合している。
さらに、後脚１１３、１１４の上方においては、背もたれ１３が幅方向に掛け渡して設けられている。
【００２８】
なお、座１２の幅方向の両端、即ち座１２の四隅から垂下した前脚１１１、１１２と後脚１１３、１１４について、図示左側において前後に並ぶ前脚１１１と後脚１１３、及び図示右側において前後に並ぶ前脚１１２と後脚１１４は、座１２から下方に向かって互いと離間する方向へ末広がりに垂下している。これにより、一対のベースフレーム１１５、１１６は、座１２の幅よりも大きな幅をもって互いと離間している。ベースフレーム１１５、１１６がこのように構成されていることと、後脚１１３、１１４の下方においては幅方向に何らの部材も掛け渡されていないことから、図５に示すように、一の椅子１の座１２の上方から他の椅子１の座１２を被せるようにしても、当該他の椅子１のベースフレーム１１５、１１６が邪魔にならず、複数の椅子１をスタッキングさせることができる。
【００２９】
ベースフレーム１１５、１１６は夫々、座１２と平行をなして椅子１の前後方向に延び、前脚１１１、１１２の下端から後脚１１３、１１４の下端へ延設している。
このベースフレーム１１５、１１６は、敷設面に当接し、主に水平方向の着座荷重を受ける。
なお、ベースフレーム１１５、１１６には適宜、前後方向に離間した位置に、ゴム等からなる滑り止め部材が取り付けられていてもよい。
【００３０】
側フレーム１１７、１１８は、座１２の左右両端において前後方向に延び、前端において前脚１１１、１１２に延設し、後端において後脚１１３、１１４に接合している。
一対の側フレーム１１７、１１８の間には、座１２が幅方向に架け渡して設けられている。
【００３１】
連結フレーム１１９は、一対の前脚１１１、１１２の下端部にその一端と他端を接合させ、一対の前脚１１１、１１２を椅子１の幅方向に連結する。詳細には、この連結フレーム１１９は、一対の前脚１１１の下端よりも僅かに上の部分から前方向に延出した部分と、当該延出した部分の先端を幅方向に繋ぐ棒状の部分とによって構成されている。
この連結フレーム１１９により、着座荷重を受けた際に、着座荷重の幅方向の荷重に抗して、前脚１１１、１１２と後脚１１３．１１４が幅方向に広がるように撓むのを防ぐ。
【００３２】
横架フレーム１１０は、一対の前脚１１１、１１２の上方において、連結フレーム１１９と同様、一対の前脚１１１、１１２にその一端と他端を接合させ、一対の前脚１１１、１１２を椅子１の幅方向に連結する。
この横架フレーム１１０も連結フレーム１１９と同様、着座荷重を受けた際に、着座荷重の幅方向の荷重に抗して、前脚１１１、１１２と後脚１１３、１１４が幅方向に広がるように撓むのを防いでいる。
【００３３】
●固定部材１４
固定部材１４は、図３及び図４に示されるように、連結フレーム１１９に取り付けられた略棒状の部材であって、椅子１の幅方向に長さを有している。
この固定部材１４は、連結フレーム１１９の下面に当接する当接部１４１と、レール２の嵌合受け部たる中空部２ｂに嵌合する嵌合部１４２からなる。
【００３４】
当接部１４１は、連結フレーム１１９の幅と略同じ幅を有しており、その上面は円筒状の連結フレーム１１９の下面の形状に即してＲ状に凹んでいる。
の当接部１４１は、当接部１４１と連結フレーム１１９を長さ方向に揃え、当接部１４１上に連結フレーム１１９を当接させた状態で連結フレーム１１９に取り付けられ、これにより固定部材１４が連結フレーム１１９に固定されている。
なお、固定部材１４を連結フレーム１１９に取り付けて固定する方法は特に限られないが、例えば、図３に示すように、下方から当接部１４１に螺入させたタッピンネジをそのまま連結フレーム１１９に螺入させることで固定することができる。このほか、固定部材１４を連結フレーム１１９に溶接したり、接着材で接着させたりすることによっても、固定部材１４を連結フレーム１１９に固定することができる。
【００３５】
嵌合部１４２は、当接部１４１の下方から幅方向に二股に延び出した部分であり、固定部材１４が嵌合するレール２の中空部２ｂ内の形状に即した略台形状の断面形状を有している。
この嵌合部１４２の幅は、当接部１４１の幅よりも十分に大きく、また、嵌合部１４２が嵌合するレール２の開口部２ａの幅よりも十分に大きいが、レール２の中空部２ｂの内幅と同じか僅かに小さく、これにより、嵌合部はレール２の中空部２ｂに嵌合する。
また、嵌合部１４２の底面は、椅子１を敷設面に敷設した際に、ベースフレームの底面と略同じ高さか、それよりも僅かに高い位置にくるようになっており、レール２によって椅子１を敷設面に固定した際に、ベースフレーム１１５、１１６の底面全体が敷設面に当接せず、ぐらついたり不安定になったりしないようになっている。
【００３６】
ここで、固定部材１４の長さは、本実施形態では椅子１の幅と同じであり、一の椅子１は一の固定部材１４を備えている。一方、他の実施形態においては、固定部材１４の長さは、椅子１を複数脚、幅方向に並べたときに、当該複数脚の椅子１がまとまって構成する幅を有しており、一の固定部材１４に対し、複数脚の椅子１を幅方向に隣接させた状態に固定することができる。このように一の固定部材１４に複数脚の椅子１が固定された状態では、複数脚の椅子１が一つのユニットを構成し、このユニット単位で椅子１を持ち運んだり、レール２に固定したりすることができる。
【００３７】
なお、本実施形態に係る椅子１について、座１２を底面側から支持する略矩形状の支持板を座１２の底面に設け、かかる支持板をフレーム１１によって支持することにより、座１２を支持するものとしてもよい。
【００３８】
●レール２
レール２は図１及び図３に示されるように、敷設面に固定される角筒状の部材であり、一対の上面部２１、２２、一対の側面部２３、２４、及び底面部２５からなる。
また、このレール２の長さ方向の両端は開口して開口端を構成し、一対の上面部２１、２２の間において長さ方向に沿って開口した部分は開口部２ａを構成する。さらに、上面部２１、２２、一対の側面部２３、２４、及び底面部２５によって囲われた中空部２ｂは、椅子１の固定部材１４が嵌合する嵌合受け部を構成する。
【００３９】
底面部２５は、レール２が敷設面に敷設された際にその下面が敷設面に当接する部分であり、一定方向に長さを有する平板状に形成されている。
この底面部２５には、適宜の位置に貫通孔が設けられ、この貫通孔を介して敷設面に埋設されたアンカー３ａにボルト３ｂが嵌合する。これにより、レール２が敷設面に固定される。
【００４０】
側面部２３、２４は、底面部２５の幅方向の両側縁から直角に立設した部分であり、一定方向に長さを有する平板状に形成されている。
【００４１】
上面部２１、２２は、一対の側面部２３、２４の上端から互いに近接する方向に斜めに延び出した部分であり、底面部２５や側面部２３、２４と同様、一定方向に長さを有する平板状に形成されている。
【００４２】
中空部２ｂは、断面が略台形状の空間を形成している。この中空部２ｂには、かかる略台形の形状に即した断面形状を有する固定部材１４が、開口端から挿し入れられる。中空部２ｂ内に挿し入れられた固定部材１４は、嵌合部１４２が開口部２ａよりも幅広であることから、幅方向に抜止不能となり、レール２に嵌合した状態となる。
【００４３】
開口端からは、固定部材１４が挿し入れられる。一の開口端から挿し入れられた固定部材１４は、中空部２ｂ内を長さ方向にスライドして、他の開口端に至る。
なお、開口端を構成するレール２の端部は、固定部材１４を挿し入れられた後は所定のキャップ等で塞いでしまってもよい。これにより、レール２に嵌合させた固定部材１４は、長さ方向においてもレール２から抜出不能となる。
【００４４】
このような構成からなるレール２は、椅子１を複数脚、幅方向に並べたときに、当該複数脚の椅子１がまとまって構成する幅と同じあるいはそれ以上の長さを有しており、一のレール２に複数脚の椅子１を嵌合させることができる。
なお、本実施形態に関わらず、他の実施形態では、レール２の幅を一脚の椅子１の幅と同程度のものとし、一のレール２で一脚の椅子１を固定するようにすることもできる。
【００４５】
●取付工程及び取り外し工程
次に、本実施形態に係る椅子１を敷設面に固定する工程、及び敷設面に固定した椅子１を取り外す工程について、図３を参照して説明する。
椅子１を敷設面に固定する工程ではまず、敷設面の所定の位置にレール２を配設して固定する。固定方法は特に限定されないが、本実施形態では図２に示すように、アンカー３ａとボルト３ｂによって固定する。即ち、敷設面の所定の箇所に円筒状のアンカー３ａを打ち込む。そして、底面部２５の適宜の位置に設けておいた貫通孔とアンカー３ａの位置を合わせてレール２を敷設面に配設し、当該貫通孔を介してアンカー３ａにボルト３ｂを嵌合させる。これにより、レール２が敷設面に固定された状態となる。
【００４６】
そして、レール２に椅子１の固定部材１４を嵌合させる。即ち、レール２の開口端から、固定部材１４を長さ方向にスライドさせて中空部２ｂ内に挿し入れる。このとき、椅子１の当接部１４１は、レール２の開口部２ａをスライドする。
これにより、敷設面上に敷設された椅子１が固定された状態となる。
なお、レール２の開口端は適宜、キャップ等で閉塞させ、固定部材１４が幅方向に容易に抜出しないようにしてもよい。
【００４７】
敷設面に固定した椅子１を取り外す工程では、レール２の長さ方向に沿って固定部材１４をスライドさせ、レール２の開口端より、中空部２ｂ内から固定部材１４を抜き出す。
そして、レール２の貫通孔を介してアンカー３ａに嵌合させたボルト３ｂを抜き、敷設面からレール２を取り外す。
これにより、敷設面から椅子１とレール２が取り外された状態となる。
レール２から取り外した椅子１は適宜、図５に示すように、一定数量ごとにスタッキングさせて収納しておくことができる。
【００４８】
●実証実験
ここで、本願発明者らは、本実施形態の効果を実証すべく実証実験を行った。
実証実験の概要は以下の通りである。
【００４９】
＜実験内容＞
即ち、約２０m2の敷設面に２０脚の椅子１を縦２列、横１０列で固定することとし、４人の作業者によって構成さレール２グループＡ〜Ｄにより、従来の方法と、本実施形態に係る椅子１の固定方法とによって椅子の設置と撤収作業を行った。
なお、従来の方法において敷設面に固定する従来型の椅子は、本実施形態に係る椅子１から固定部材１４を取り外した構造からなるものである。
【００５０】
＜従来の方法＞
従来の方法では、設置において下記の設置工程１、２を行い、撤収において下記の撤収工程１、２を行った。
（設置工程１）従来型の椅子を敷設面に配置する。
（設置工程２）従来型の椅子のフレームのうち、本実施形態の椅子１のベースフレーム１１５、１１６に相当するベースフレームについて、隣り合う椅子のベースフレームを二本一組とし、鞍型の固定金具（金属製のサドルバンド）でまとめて敷設面に固定した。固定においては、一つの固定金具ごとに２つのネジを使って、敷設面にネジ止めした。
（撤収工程１）固定金具のネジを取り外す。
（撤収工程２）所定の場所に従来型の椅子を所定の態様でまとめる。
【００５１】
＜本実施形態に係る椅子１の固定方法＞
本実施形態に係る椅子１の固定方法では、設置において下記の設置工程１、２を行い、撤収において下記の撤収工程１、２を行った。
（設置工程１）敷設面にレール２を取り付ける。
（設置工程２）本実施形態に係る椅子１をレール２に嵌合させる。
（撤収工程１）本実施形態に係る椅子１をレール２から取り外す。
（撤収工程２）所定の場所に本実施形態に係る椅子１を所定の態様（従来法の方法と同様の態様）でまとめる。
【００５２】
実験を行った結果は以下の表１のとおりとなった。
【００５３】
【表１】
2020146170.tif 000003
【００５４】
実験の結果、平均値及び中央値でみると、設置では、本実施形態のほうが従来よりも半分以下の時間で作業を完了している。また、撤収でも、本実施形態のほうが従来の約半分の時間で作業を完了している。
【００５５】
以上の本実施形態に係る椅子、椅子の固定構造、及び椅子の固定方法によれば、敷設面に容易に椅子１を固定できるし、取り外しも容易である。その結果、椅子１の固定や取り外しに要する時間や人員を大幅に削減することができる。
さらには、敷設面に椅子１を固定したり、敷設面から椅子１を取り外したりするための構造を備えながらもスタッキングさせることができ、収納時においても場所をとることなく片付けておくことができる。
【符号の説明】
【００５６】
１          椅子
１１      フレーム
１１１  前脚
１１２  前脚
１１３  後脚
１１４  後脚
１１５  ベースフレーム
１１６  ベースフレーム
１１７  側フレーム
１１８  横架フレーム
１１９  連結フレーム
１２      座
１３      背もたれ
１３ａ  貫通孔
１４      固定部材
１４１  当接部
１４２  嵌合部
２          レール
２ａ      開口部
２ｂ      中空部
２１      上面部
２２      上面部
２３      側面部
２４      側面部
２５      底面部
３ａ        アンカー
３ｂ        ボルト
【図１】
2020146170.tif 000004
【図２】
2020146170.tif 000005
【図３】
2020146170.tif 000006
【図４】
2020146170.tif 000007
【図５】
2020146170.tif 000008